(57)【要約】【課題】クロノグラフ計測中（時間計測動作中）にパワーセーブモードへ移行することにより不具合が発生することを回避できる、電子時計を提供する。【解決手段】本発明の電子時計１は、クロノグラフモードＳＴ１０またはタイマモードＳＴ２０において時間計測動作が行われていない場合に、無照度非操作時間（ソーラパネル１１１への入射光が得られず、かつ操作部１１６において操作が行われない状態が継続する時間）を所定の第１移行時間（例えば、２時間）と比較し、クロノグラフモードＳＴ１０またはタイマモードＳＴ２０において時間計測動作が行われている場合に、無照度非操作時間を第１移行時間よりも長い所定の第２移行時間（例えば、７２時間）と比較する。電子時計１は、上記無照度非操作時間が上記移行時間を経過したときに、パワーセーブモードに移行し、表示部１１８における表示動作を停止させる。【選択図】図４
2013152140.tif 000002
【特許請求の範囲】
【請求項１】
光を受けて発電を行なうソーラパネルを有し、当該ソーラパネルの起電圧により充電される二次電池から供給される電力により動作するとともに、所定の条件下においてパワーセーブモードに移行して表示部の一部または全ての表示動作を停止させる電子時計であって、
前記電子時計を操作するための操作部と、
時間計測動作を行う時間計測部と、
前記ソーラパネルへの入射光が得られず、かつ前記操作部において操作が行われない状態が継続する時間を無照度非操作時間として計測する無照度非操作時間検出部と、
前記時間計測部において時間計測動作が行われていない場合に、前記無照度非操作時間検出部により計測された無照度非操作時間を所定の第１移行時間と比較し、前記時間計測部において時間計測動作が行われている場合に、前記無照度非操作時間検出部により計測された無照度非操作時間を前記第１移行時間よりも長い所定の第２移行時間と比較し、前記無照度非操作時間が前記移行時間を経過したときに前記パワーセーブモードに移行して前記表示部の表示動作を停止させる制御部と、
を備えることを特徴とする電子時計。
【請求項２】
前記制御部は、
計測開始されてからの経過時間を計測するクロノグラフモードと、予め設定した時間の経過を判定するタイマモードとにおける時間計測動作中に、前記無照度非操作時間検出部により計測された無照度非操作時間を前記第２移行時間と比較する
ことを特徴とする請求項１に記載の電子時計。
【請求項３】
前記制御部は、
前記クロノグラフモードおよびタイマモードにおいて、時間計測動作が一時停止された場合に、前記無照度非操作時間検出部により計測された無照度非操作時間を前記第１移行時間と比較する
ことを特徴とする請求項２に記載の電子時計。
【請求項４】
前記制御部は、
前記クロノグラフモードおよびタイマモードの時間計測動作中において、前記無照度非操作時間が前記第２移行時間を経過したときに、前記クロノグラフモードおよびタイマモードにおける時間計測動作をリセットする
ことを特徴とする請求項２または請求項３に記載の電子時計。
【請求項５】
前記パワーセーブモードに移行して前記表示部の表示動作を停止させる際には、
前記表示部にパワーセーブ状態であることを示す表示を行う
ことを特徴とする請求項１から４のいずれか１項に記載の電子時計。
【発明の詳細な説明】
【技術分野】
【０００１】
本発明は、ソーラパネルを備えるとともに時間計測機能を有する電子時計に関する。
【背景技術】
【０００２】
従来から、ソーラパネルを備えるとともに時間計測機能（クロノグラフ機能）を有する電子時計が使用されている。この電子時計は、ソーラパネルの起電力により充電される電池を有しており、この電池から供給される電力により、時間等を表示する表示部や各構成要素が駆動される。この電子時計では、表示部の消費電力が大きく、表示部を常時表示の状態にすると電池の消耗が早くなるため、一定時間以上継続して入射光が得られない場合には、表示部の表示を行わないパワーセーブ状態に移行するようにしている。これにより、電池の消耗が抑制され、電池寿命を延ばすことが可能になる。
【０００３】
例えば、関連する電子時計がある（特許文献１を参照）。この特許文献１に記載の電子時計は、太陽電池に対してタイマによって定められた一定時間以上、継続して入射光が得られない場合に、時刻表示装置による時刻表示動作を停止する。これにより、夜間放電等による長時間入射光がない場合に、不使用と判断して時刻表示動作を停止してエネルギーを節約する。
【０００４】
また、関連する電子時計がある（特許文献２を参照）。この特許文献２に記載の電子時計は、クロノグラフ計測部が時間計測動作を行っていない状態で、かつ操作部が所定時間操作されていない場合にパワーセーブモードに移行し、クロノグラフ計測部が時間計測動作を行っている場合は、操作部の非操作時間が所定時間経過したときでもパワーセーブモードに移行しない。これにより、この特許文献２に記載の電子時計は、クロノグラフ計測部が時間計測動作を行っている場合にはパワーセーブモードに移行することなく、表示部にはクロノグラフ計測部で計測した計測時間が表示される。
【先行技術文献】
【特許文献】
【０００５】
【特許文献１】特開昭６１−７７７８８号公報
【特許文献２】特開２００３−２７０３６８号公報
【発明の概要】
【発明が解決しようとする課題】
【０００６】
上述のように、ソーラパネルを備える電子時計は、ソーラパネルで発電したエネルギーを二次電池に充電して時計駆動のエネルギーとして利用している。この電子時計は、ソーラパネルに光があたらず、かつボタン操作が一定時間以上行われない状態が続いた場合に、二次電池における無駄な電力消費を防止するために、時刻表示などを消すパワーセーブモードに移行するように構成されている。
【０００７】
このパワーセーブモードに移行する際に、特許文献１に記載の電子時計のように一定時間入射光が得られない場合に表示を消すといったパワーセーブ動作を単純に行なってしまうと、使用者にとって不具合が生じることがある。
例えば、使用者が電子時計のクロノグラフ計測機能を利用して夜間にジョギングを行う場合に、ソーラパネルに光があたらないことにより電子時計がパワーセーブ状態に移行し、ラップタイムやスプリットタイム等の表示が消えてしまうという不具合が発生することがある。さらに、使用者が、電子時計がパワーセーブ状態にあることに気づかずに、ＬＡＰ操作（ラップタイムの記録のためのスイッチ操作）を行うと、ＬＡＰ操作のつもりがパワーセーブ解除操作となりラップタイムを取得できず、２度目のＬＡＰ操作で始めてラップタイムを保存できるといった不具合が生じることがある。このため、クロノグラフ計測時における電子時計の操作性が悪くなる。
【０００８】
また、特許文献２に記載の電子時計のように、単純にクロノグラフ計測中はパワーセーブ状態に入らないとする方法を用いると、使用者がクロノグラフ動作を止め忘れてしまった場合に、電子時計はパワーセーブモードに入ることができず、電池の消費電力が大きくなってしまうという不具合が発生する。特にソーラパネル付の電子時計では、早期の電池電圧の低下を招くといった不具合が発生する。
【０００９】
本発明は、斯かる実情に鑑みなされたものであり、本発明の目的は、時間計測動作中にパワーセーブモードへ移行することにより不具合が発生することを回避できる、電子時計を提供することにある。
【課題を解決するための手段】
【００１０】
本発明は、上記課題を解決するためになされたものであり、本発明の電子時計は、光を受けて発電を行なうソーラパネルを有し、当該ソーラパネルの起電圧により充電される二次電池から供給される電力により動作するとともに、所定の条件下においてパワーセーブモードに移行して表示部の一部または全ての表示動作を停止させる電子時計であって、前記電子時計を操作するための操作部と、時間計測動作を行う時間計測部と、前記ソーラパネルへの入射光が得られず、かつ前記操作部において操作が行われない状態が継続する時間を無照度非操作時間として計測する無照度非操作時間検出部と、前記時間計測部において時間計測動作が行われていない場合に、前記無照度非操作時間検出部により計測された無照度非操作時間を所定の第１移行時間と比較し、前記時間計測部において時間計測動作が行われている場合に、前記無照度非操作時間検出部により計測された無照度非操作時間を前記第１移行時間よりも長い所定の第２移行時間と比較し、前記無照度非操作時間が前記移行時間を経過したときに前記パワーセーブモードに移行して前記表示部の表示動作を停止させる制御部と、を備えることを特徴とする。
【００１１】
また、本発明の電子時計は、上記電子時計において、前記制御部は、計測開始されてからの経過時間を計測するクロノグラフモードと、予め設定した時間の経過を判定するタイマモードとにおける時間計測動作中に、前記無照度非操作時間検出部により計測された無照度非操作時間を前記第２移行時間と比較することを特徴とする。
【００１２】
また、本発明の電子時計は、上記電子時計において、前記制御部は、前記クロノグラフモードおよびタイマモードにおいて、時間計測動作が一時停止された場合に、前記無照度非操作時間検出部により計測された無照度非操作時間を前記第１移行時間と比較することを特徴とする。
【００１３】
また、本発明の電子時計は、上記電子時計において、前記制御部は、前記クロノグラフモードおよびタイマモードの時間計測動作中において、前記無照度非操作時間が前記第２移行時間を経過したときに、前記クロノグラフモードおよびタイマモードにおける時間計測動作をリセットすることを特徴とする。
【００１４】
また、本発明の電子時計は、上記電子時計において、前記パワーセーブモードに移行して前記表示部の表示動作を停止させる際には、前記表示部にパワーセーブ状態であることを示す表示を行うことを特徴とする。
【発明の効果】
【００１５】
本発明の電子時計では、時間計測部において時間計測動作が行われている場合のパワーセーブモードに移行する時間を、時間計測部において時間計測動作が行われていない場合の第１移行時間よりも長い第２移行時間にする。
これにより、時間計測動作中にパワーセーブモードへ移行することにより不具合が発生することを回避できる電子時計を提供することができる。
【図面の簡単な説明】
【００１６】
【図１】本発明の実施の形態に係る電子時計の概観と操作ボタンの機能を説明するための図である。
【図２】本発明の実施の形態に係る電子時計の内部構成を示すブロック図である。
【図３】電子時計１におけるパワーセーブモードへの移行判定処理の流れを示すフロー図である。
【図４】電子時計１における動作モードの遷移を示す状態遷移図である。
【図５】電子時計１におけるパワーセーブモードへの移行判定処理の変形例を示すフロー図である。
【発明を実施するための形態】
【００１７】
以下、本発明の実施の形態を添付図面を参照して説明する。
【００１８】
図１は、本発明の実施の形態に係る電子時計の概観と操作ボタンの機能を説明するための図である。
この図１に示すように、本実施形態の電子時計１は、本体ケース１１を備え、この本体ケース１１の正面側には４隅が面取りされた方形状の風防ガラス等の透明板１２の下に、表示部１１８及びソーラパネル１１１を有している。表示部１１８は透明板１２の中央に設けられる。ソーラパネル１１１は、平面視において表示部１１８を囲むように、透明板１２の周辺部に配置される。
【００１９】
また、本体ケース１１の側面に、使用者が操作可能な操作ボタンＡと、操作ボタンＢと、操作ボタンＣと、操作ボタンＤが設けられている。また、本体ケース１１の表面に、操作ボタンＥが設けられている。
操作ボタンＡは、電子時計１の動作モードを変更するための信号であるモードチェンジ信号を出力する。この操作ボタンＡを押すごとに、モードチェンジ信号が、後述するＣＰＵ１００内のモード制御部１０２（図２を参照）に出力される。モード制御部１０２は、図１（Ｂ）に示すように、前記モードチェンジ信号に応答して、順次、時刻表示モード、クロノグラフモード、タイマモード、アラームモードに移行する、また、上記モード制御部１０２は、後述する所定の条件下で、電子時計１をパワーセーブモードに移行させる。
【００２０】
ここで、時刻表示モードは、通常の時刻表示を行うモードであり、例えば、図１（Ａ）に示すように、表示部１１８に、日付と、現在時刻と、曜日とを表示する。
クロノグラフモードは、スポーツ競技等における記録の時間計測と表示に使用されるモードであり、例えば、図１（Ｄ）に示すように、時間計測中は、表示部１１８に、ラップタイム（ＬＡＰ）とスプリットタイム（ＳＰＬ）とを表示することができる。なお、ラップタイム（ＬＡＰ）は、スタート地点からゴール地点の間における区間ごとの経過時間を示し、スプリットタイム（ＳＰＬ）は、スタート地点からある区間までの途中経過時間を示している。
タイマモードは、予めタイマにタイマ時間を設定し、このタイマに設定された時間をカウントダウンすることにより時間を計測し、カウントゼロでアラーム音を鳴らすモードである。また、アラームモードは、予め時刻を設定し、計時時刻が設定した時刻になるとアラーム音を鳴らすモードである。
【００２１】
パワーセーブモードは、ソーラパネル１１１に光があたらず、かつボタン操作が行われない状態が一定時間以上続いた場合に、二次電池１１２の無駄な電量消費を防ぐために、表示部１１８の一部または全ての表示を消すモードである。このパワーセーブモードにおいては、電子時計１は、図１（Ｃ）に示すように表示部１１８に「ＰＳ」を表示する。
なお、上記動作モードは、上述した動作モードの他に、例えば、ワールドタイム表示モード（世界の主要都市の時刻を表示するモード）や、リコールモード（計測したデータを呼び出す機能）等が含まれる場合がある。
【００２２】
操作ボタンＢは、表示の切替ボタンであり、例えば、クロノグラフモードにおいて、現在時刻とラップタイム（ＬＡＰ）とを表示するか、または現在時刻とスプリットタイム（ＳＰＬ）とを表示するかの切り替えを行うボタンである。なお、ラップタイム（ＬＡＰ）とスプリットタイム（ＳＰＬ）は、同時に表示することもできる。
操作ボタンＣは、スタート／ストップボタンであり、例えば、クロノグラフモードにおいて、時間計測動作の開始と終了を指示するボタンである。このクロノグラフモードにおいて、使用者が操作ボタンＣを押下することにより、時間計測動作（クロノグラフ計測）が開始され、この時間計測動作中に、使用者が操作ボタンＣを押下することにより時間計測動作が停止する。
操作ボタンＤは、ライト（内部照明）の点滅ボタンであり、この操作ボタンＤを押下した場合、例えば、ライトとして使用されているエレクトロルミネッセンス（ＥＬ）パネルを発光させる。
操作ボタンＥは、例えば、クロノグラフモードにおいて、ラップタイム（ＬＡＰ）を保存するとともに、計測値をリセットするボタンである。
【００２３】
図２は、本発明の実施の形態に係る電子時計の内部構成を示すブロック図であり、ソーラパネル１１１を備えるとともに、クロノグラフ（時間計測）機能を有する電子時計の例を示している。図２において、電子時計１は、ＣＰＵ（Central Processing Unit）１００、ソーラパネル１１１、二次電池１１２、照度検出部１１３、発振部１１４、分周部１１５、操作部１１６、表示駆動部１１７、表示部１１８、及び記憶部１１９を備えている。
また、ＣＰＵ１００は、入力受付部１０１、モード制御部１０２、計時部１０３、クロノグラフ計測部１０４、及び無照度非操作時間検出部１０５を有している。なお、このＣＰＵ１００は、入出力ポートを備えるとともに、内部に、タイマやカウンタ（不図示）を有しており、この内蔵されたカウンタが、後述するパワーセーブカウンタやタイマカウンタとして用いられる。
【００２４】
以下、電子時計１を構成する各部分について詳細に説明する。
ソーラパネル１１１は、複数の太陽電池セルから構成されており、このソーラパネル１１１の出力電圧により二次電池１１２を充電する。電子時計１は、ソーラパネル１１１から二次電池１１２を介して供給される電源電圧Ｖｄｄにより各部が動作するとともに、表示部１１８に時刻表示を行う。
【００２５】
照度検出部１１３は、ソーラパネル１１１の起電圧Ｖｓｃが十分な電圧であるか否かを検出する照度検出動作を定期的（例えば、毎秒、または毎分ごと）に行う。照度検出部１１３は、ソーラパネル１１１の起電圧Ｖｓｃが十分な電圧ではなく、所定の閾値以下の場合に、ソーラパネル１１１を構成するソーラセルが遮光されており、照度なし（入射光なし）と判定する。また、照度検出部１１３は、ソーラパネル１１１の起電圧Ｖｓｃが十分な電圧であり、所定の閾値以上の場合に、ソーラパネル１１１を構成するソーラセルが遮光されておらず、照度あり（入射光あり）と判定する。照度検出部１１３は、「照度有り」または「照度無し」を示す照度有無信号をＣＰＵ１００に出力する。
【００２６】
発振部１１４は、ＣＰＵ１００の動作クロック信号になるとともに各部の動作基準となる信号である基本クロック信号を発生する。分周部１１５は上記基本クロック信号を分周して、時刻計時動作および時間計測動作（クロノグラフ計測動作）において時間を計測するための信号である計時信号を発生する。
操作部１１６は、使用者が操作可能な複数の操作ボタン（図１（Ａ）を参照）から構成されており、操作部１１６は、使用者によりボタンが操作されることにより、ボタン操作信号がＣＰＵ１００内の入力受付部１０１に出力される。使用者は、この操作部１１６の操作ボタンを操作することにより、電子時計１における動作モードの切り替え、表示内容の切り替え、時刻合わせ、及びその他の各種の設定を行うことができる。
【００２７】
表示駆動部１１７は、ＣＰＵ１００から、時刻の計時情報である計時データ信号、クロノグラフ計測データ信号、パワーセーブ処理信号、モード表示信号等を受信して、各信号に応じた表示データ信号を表示部１１８に出力する。例えば、表示駆動部１１７は、モード表示信号が時刻表示モードのときには計時データ信号に対応する表示データ信号を出力し、モード表示信号がクロノグラフモードのときにはクロノグラフ計測データ信号に対応する表示データ信号を出力する。また、表示駆動部１１７は、電子時計１がパワーセーブモードに移行し、モード制御部１０２から出力されるパワーセーブ処理信号がパワーセーブ処理を示すときには、表示部１１８の表示を消すための表示データ信号を出力する。なお、パワーセーブモードにおいて表示部１１８の表示を消す場合に、表示駆動部１１７は、表示部１１８にパワーセーブ状態であることを示す文字や記号を表示するための表示データ信号を出力する。
【００２８】
液晶のデジタル表示装置によって構成される表示部１１８は、表示駆動部１１７から出力される表示データ信号に応じた表示、例えば、各モードの表示、時刻表示、計測時間の表示を行うと共に、パワーセーブ時には表示の一部または全ての表示を行わないように動作する。なお、パワーセーブ時において、表示部１１８は、パワーセーブ状態であることを示す表示「ＰＳ」を表示する（図１（Ｃ）を参照）。
【００２９】
記憶部１１９は、ＲＯＭおよびＲＡＭ等で構成されており、ＲＯＭには、電子時計１で行われる処理に関する過程がプログラムの形式で記憶されており、ＣＰＵ１００がこのプログラムを読み出して実行することによって、電子時計における処理が行われる。また、記憶部１１９には、電子時計で計測された各種の計測データが記憶されて保存される。例えば、記憶部１１９は、クロノグラフモードの時間計測動作により計測されたラップタイムやスプリットタイムなどのデータを記憶する。また、この記憶部１１９は、その内部に、予め定められた２種類の所定時間として、移行時間１（本実施の形態では４時間）と、移行時間２（本実施の形態では７２時間）とを記憶している。なお、この移行時間１と移行時間２は、使用者が操作部１１６を操作することにより手動で設定することも可能である。
【００３０】
また、ＣＰＵ１００内の入力受付部１０１は、操作部１１６から入力されるボタン操作信号を外部割り込み要求信号として受け付け、操作部１１６においてボタン操作が行われたこととその内容とをレジスタ（不図示）に記憶するとともに、ボタン操作の内容に応じた信号をＣＰＵ１００内の各部に出力する。例えば、入力受付部１０１は、電子時計１の動作モードと、この動作モードに応じた表示部１１８の表示モードとを変更するための信号であるモードチェンジ信号を、モード制御部１０２に出力する。また、入力受付部１０１は、クロノグラフ計測部１０４における時間計測動作の開始および停止させるためのクロノグラフ制御信号を出力する。また、入力受付部１０１は、計時部１０３において、時刻合わせや、その他の各種の設定を行うための計時部制御信号を出力する。また、入力受付部１０１は、操作部１１６において、ボタン操作が行われていないことを示す外部入力有無信号を、無照度非操作時間検出部１０５に出力する。
【００３１】
モード制御部１０２は、操作部１１６から出力されるモードチェンジ信号に応答して、電子時計１における動作モードを設定するとともに、表示部１１８で表示されるモードを指示するためのモード表示信号を表示駆動部１１７に出力する。
また、モード制御部１０２は、上記無照度非操作時間検出部１０５から、無照度非操作時間信号（ソーラパネル１１１への入射光が得られず、かつ操作部１１６において操作が行われない状態が継続する時間を表す信号）を入力する。
【００３２】
そして、モード制御部１０２は、クロノグラフ計測部１０４から時間計測動作が行われているか否かを示すクロノグラフ状態信号を入力し、クロノグラフ計測部１０４において時間計測動作（クロノグラフ計測）が行われていない場合に、無照度非操作時間検出部１０５により計測された無照度非操作時間を所定の移行時間１（例えば、４時間）と比較する。
また、モード制御部１０２は、クロノグラフ計測部１０４において時間計測動作が行われている場合に、無照度非操作時間検出部１０５により計測された無照度非操作時間を上記移行時間１よりも長い所定の移行時間２（例えば、７２時間）と比較する。
そして、モード制御部１０２は、上記無照度非操作時間が上記移行時間経過したときに表示駆動部１１７に対して、電子時計１をパワーセーブモードに移行させるとともに、表示部１１８における表示を消すためのパワーセーブ処理信号を表示駆動部１１７に出力する。
【００３３】
また、計時部１０３は、分周部１１５から入力した計時信号を計数して、時刻を表す信号である計時データ信号を発生する。
クロノグラフ計測部１０４は、分周部１１５から入力した計時信号を計数して時間計測動作を行う。クロノグラフ計測部１０４は、計測した時間に対応するクロノグラフ計測データ信号を表示駆動部１１７に出力する。また、クロノグラフ計測部１０４は、時間計測動作中であるか否かを示すクロノグラフ状態信号をモード制御部１０２に出力する。
【００３４】
無照度非操作時間検出部１０５は、照度検出部１１３から照度有無信号を入力し、また、操作部１１６から外部入力有無信号を入力する。無照度非操作時間検出部１０５は、ソーラパネルへの入射光が得られず、かつ操作部１１６において操作が行われない状態が継続する無照度非操作時間をパワーセーブカウンタ１０６により計測する。そして、無照度非操作時間検出部１０５は、無照度非操作時間信号をモード制御部１０２に出力する。
【００３５】
以上のように構成された電子時計１では、使用者が操作部１１６を操作することにより、電子時計１における動作モードおよび表示部１１８における表示状態を変更するためのモードチェンジ信号が、モード制御部１０２に出力される。
【００３６】
電子時計１の動作モードには、例えば、前述の図１（Ｂ）に示すように、時刻表示モード、クロノグラフモード、タイマモード、アラームモード、および所定の条件下で移行するパワーセーブモードがある。
【００３７】
そして、クロノグラフモードにおいて、操作部１１６のボタンを操作することにより、入力受付部１０１から、時間計測動作（クロノグラフ計測）の開始や終了の指示を行うためのクロノグラフ制御信号がクロノグラフ計測部１０４に出力される。また、操作部１１６を操作した場合には、その都度、操作部１１６の操作が行われたことを示す外部入力有無信号が、入力受付部１０１から無照度非操作時間検出部１０５に出力される。
【００３８】
計時部１０３は、分周部１１５から出力される計時信号を計数して時刻を表す計時データ信号を表示駆動部１１７に出力する。電子時計１が時刻表示モードに設定されており、モード制御部１０２が時刻表示を示すモード表示信号を出力している場合に、表示駆動部１１７は、上記計時データ信号を表示に適した形態に変換し、時刻を表す表示データ信号を表示部１１８に出力する。表示部１１８は、表示データ信号に対応する時刻をデジタルで表示する。
【００３９】
また、クロノグラフ計測部１０４は、入力受付部１０１から出力されるクロノグラフ制御信号に応答して時間計測動作を開始し、分周部１１５から出力される計時信号を基に時間を計測し、この計測した時間をクロノグラフ計測データ信号として表示駆動部１１７に出力する。電子時計１がクロノグラフモードに設定されており、モード制御部１０２が時間計測表示（クロノグラフ計測）を示すモード表示信号を出力している場合に、表示駆動部１１７は、クロノグラフ計測データ信号を表示に適した形態に変更し、計測時間を表す表示データ信号を表示部１１８に出力する。表示部１１８は、表示データ信号に対応する計測時間をデジタルで表示する。
【００４０】
また、無照度非操作時間検出部１０５は、分周部１１５から出力される計時信号を基にして所定の周期信号（例えば、毎秒あるいは毎分ごとの信号）を生成し、この周期信号をパワーセーブカウンタ１０６で計数することより、ソーラパネル１１１への入射光がなく、かつ操作部１１６において操作が行われない状態が継続する時間を無照度非操作時間として計測する。無照度非操作時間検出部１０５は、計測した無照度非操作時間をモード制御部１０２に出力する。
【００４１】
モード制御部１０２では、時間計測モード（クロノグラフモードまたはタイマモード）おいて、クロノグラフ計測部１０４において時間計測動作が行われていない場合に、無照度非操作時間検出部１０５により計測された無照度非操作時間を所定の移行時間１（例えば、４時間）と比較し、クロノグラフ計測部１０４において時間計測動作が行われている場合に、無照度非操作時間検出部１０５により計測された無照度非操作時間を移行時間１よりも長い所定の移行時間２（例えば、７２時間）と比較する。そして、モード制御部１０２は、上記無照度非操作時間が上記移行時間経過したときに、電子時計１をパワーセーブモードに移行させるとともに、表示駆動部１１７に対して上記パワーセーブ処理信号を出力する。
【００４２】
このように、モード制御部１０２は、時間計測モード（クロノグラフモードまたはタイマモード）おいて、パワーセーブモードに移行する時間を、通常の場合（例えば、時刻表示モード）よりも長くする。これにより、電子時計１では、時間計測動作中にパワーセーブ状態へ移行することにより不具合が発生することを回避できる。
【００４３】
次に、本実施形態の電子時計１におけるパワーセーブモードへの移行動作について詳細に説明する。
上述のように、電子時計１は、ソーラパネル１１１に光があたらず、かつボタン操作が一定時間以上行われない状態が一定時間続いた場合に、二次電池１１２の無駄な電量消費を避けるためにパワーセーブモードに移行する。この場合に、電子時計１は、パワーセーブモードに移行する時間を、時間計測動作時の場合と、時間計測動作時以外の場合とに応じて、移行時間１（例えば、４時間）と移行時間２（例えば、７２時間）とで切り替えるように構成されている。
【００４４】
図３は、電子時計１におけるパワーセーブモードへの移行判定処理の流れを示すフロー図である。この図３に示すフローチャートは、一定時間（例えば、毎秒あるいは毎分）ごとに定期に繰り返される処理であり、最初に、ソーラパネル１１１の遮光時間および操作部１１６の非操作時間を計測するためのパワーセーブカウンタ１０６がゼロに初期化（リセット）されているものとする。
【００４５】
図３に示すフローチャートを参照して、パワーセーブモードへの移行判定処理が開始されると、ＣＰＵ１００内の無照度非操作時間検出部１０５は、照度検出部１１３を介して照度が有るか否か、すなわち、ソーラパネル１１１に光があたっているか否かを判定する（ステップＳ１）。この照度検出は、照度検出部１１３が、ソーラパネル１１１の出力電圧Ｖｓｃの電圧を所定の閾値と比較することにより判定される。
【００４６】
そして、ステップＳ１において照度なしと判定された場合に（ステップＳ１−Ｎｏ）、無照度非操作時間検出部１０５は、ステップＳ２の処理に移行する。一方、無照度非操作時間検出部１０５は、ステップＳ１０において照度あり判定された場合に（ステップＳ１−Ｙｅｓ）、ステップＳ１０の処理に移行し、パワーセーブカウンタ１０６の計数値を初期化（リセット）する。そして、このパワーセーブ移行判定処理は、ステップＳ１０の処理が終了した後に終了する。
【００４７】
ステップＳ２において、ＣＰＵ１００内の無照度非操作時間検出部１０５は、操作部１１６においてボタン操作（より正確にはパワーセーブモードの解除に結びつくボタン操作）が有ったか否かを判定する。なお、ボタン操作の有無は、入力受付部１０１から出力される外部入力有無信号により判定される。この入力受付部１０１は、ボタン操作が行われたことを外部割込み要求により受け付け、ボタン操作が行われたことと、ボタン操作の内容とをレジスタ（不図示）に保持することにより外部入力有無信号を生成する。
【００４８】
そして、無照度非操作時間検出部１０５は、ステップＳ２においてボタン操作が有ったと判定された場合に（ステップＳ２−Ｙｅｓ）、ステップＳ１０の処理に移行し、パワーセーブカウンタ１０６の計数値を初期化（リセット）する（ステップＳ１０）。そして、このパワーセーブ移行判定処理は、ステップＳ１０の処理が終了した後に終了する。
【００４９】
一方、無照度非操作時間検出部１０５は、ステップＳ２においてボタン操作がなかったと判定された場合に（ステップＳ２−Ｎｏ）、ステップＳ３の処理に移行し、パワーセーブカウンタ１０６の計数値をインクリメント（＋１を加算）する（ステップＳ３）。無照度非操作時間検出部１０５は、このカウンタ１０６の計数値を無照度非操作時間信号として、ＣＰＵ１００内のモード制御部１０２に出力する。
【００５０】
次に、無照度非操作時間検出部１０５から無照度非操作時間（パワーセーブカウンタ１０６の計数値）の信号を入力したモード制御部１０２は、クロノグラフ計測部１０４から入力したクロノグラフ状態信号を基に、現在がクロノグラフ動作中（時間計測動作中）であるか否かを判定する（ステップＳ４）。
そして、モード制御部１０２は、ステップＳ４の処理において現在がクロノグラフ動作中でないと判定した場合に（ステップＳ４−Ｎｏ）、パワーセーブカウンタ１０６の計数値（無照度非操作時間）を通常モードのパワーセーブ移行時間１と比較する（ステップＳ５）。続いて、ステップＳ６の処理に移行し、モード制御部１０２は、パワーセーブカウンタ１０６の計数値が、パワーセーブ移行時間１以上（パワーセーブカウンタ≧パワーセーブ移行時間１）であるか否かを判定する。
【００５１】
そして、ステップＳ６の処理においてパワーセーブカウンタの計数値がパワーセーブ移行時間１以上であると判定された場合に（ステップＳ６−Ｙｅｓ）、モード制御部１０２は、電子時計１をパワーセーブ状態（パワーセーブモード）に移行させる（ステップＳ７）。そして、このパワーセーブ移行判定処理は、ステップＳ７の処理が終了した後に終了する。
また、ステップＳ６の処理においてパワーセーブカウンタ１０６の計数値がパワーセーブ移行時間１以上でない判定された場合に（ステップＳ６−Ｎｏ）、モード制御部１０２は、このパワーセーブ移行判定処理を終了する。
【００５２】
一方、ステップＳ４の判定処理においてクロノグラフ動作中でないと判定された場合に（ステップＳ４−Ｙｅｓ）、モード制御部１０２は、ステップＳ８に移行し、パワーセーブカウンタ１０６の計数値をクロノグラフ動作中のパワーセーブ移行時間２と比較する（ステップＳ８）。続いて、ステップＳ９の処理に移行し、モード制御部１０２は、パワーセーブカウンタ１０６の計数値が、パワーセーブ移行時間２以上（パワーセーブカウンタ≧パワーセーブ移行時間２）であるか否かを判定する（ステップＳ９）。
【００５３】
そして、モード制御部１０２は、ステップＳ９の処理においてパワーセーブカウンタの計数値がパワーセーブ移行時間２以上であると判定された場合に（ステップＳ９−Ｙｅｓ）、電子時計１をパワーセーブ状態（パワーセーブモード）に移行させる（ステップＳ７）。
また、ステップＳ９の処理においてパワーセーブカウンタの計数値がパワーセーブ移行時間２以上でない判定された場合に（ステップＳ９−Ｎｏ）、モード制御部１０２は、このパワーセーブ移行判定処理を終了する。
【００５４】
このように、本実施形態の電子時計１において、モード制御部１０２は、時間計測動作中でない場合に、無照度非操作時間を移行時間１（例えば、４時間）と比較し、時間計測動作中である場合に、上記無照度非操作時間を移行時間２（例えば、７２時間）と比較する。すなわち、モード制御部１０２は、時間計測動作中である場合に、パワーセーブモードに移行するまでの時間を長くする。
これにより、本実施形態の電子時計１では、時間計測動作中においてパワーセーブモードに移行することにより発生する不具合を回避することができる。
【００５５】
また、図４は、上述した電子時計１における動作モードの遷移状態を示す図である。この図４において、図４（Ａ）は、電子時計１における操作ボタンを示す図であり、図４（Ｂ）は、電子時計１における時刻表示モードＳＴ１と、クロノグラフモードＳＴ１０と、タイマモードＳＴ２０と、アラームモードＳＴ３０との間の状態遷移図を示している。
以下、図４を参照して、電子時計１における状態遷移の流れについて説明する。
【００５６】
最初に、電子時計１は、時刻表示モードＳＴ１の状態にあるとする。この時刻表示モードＳＴ１において、パワーセーブモードへの移行を判定する移行時間は、「移行時間１（例えば、４時間）」である。この時刻表示モードＳＴ１の状態において、使用者が操作ボタンＡを押下すると、電子時計１は、時刻表示モードＳＴ１からクロノグラフモードＳＴ１０に移行する。
【００５７】
このクロノグラフモードＳＴ１０は、最初に、パワーセーブカウンタ１０６の計数値をリセットするクロノグラフＲＥＳＥＴ状態ＳＴ１１から開始される。このクロノグラフＲＥＳＥＴ状態ＳＴ１１において、パワーセーブモードへの移行を判定する移行時間は、「移行時間１」である。
【００５８】
そして、このクロノグラフＲＥＳＥＴ状態ＳＴ１１において操作ボタンＣを押下すると、電子時計１は、クロノグラフＲＥＳＥＴ状態ＳＴ１１からクロノグラフ動作（時間計測動作）状態ＳＴ１２に移行する。このクロノグラフ動作状態ＳＴ１２において、パワーセーブモードへの移行を判定する移行時間は、「移行時間２（例えば、７２時間）」となる。すなわち、クロノグラフ動作中には、パワーセーブモードに移行することを判定する移行時間は、通常状態の「移行時間１」よりも長い「移行時間２」となる。
【００５９】
電子時計１は、このクロノグラフ動作状態ＳＴ１２に移行することにより、クロノグラフ計時表示状態ＳＴ１２Ａとなり時間計測動作を開始する。このクロノグラフ計時表示状態ＳＴ１２Ａにおいて時間計測動作を開始することにより、電子時計１は、表示部１１８にクロノグラフモードにおける計測時間、例えば、スプリットタイム（ＳＰＬ）を表示する。
【００６０】
このクロノグラフ計時表示状態ＳＴ１２Ａにおいて、使用者が操作ボタンＥを押下すると、電子時計１は、ラップ表示状態ＳＴ１２Ｂに移行する。このラップ表示状態ＳＴ１２Ｂにおいて、電子時計１は、ラップタイム（ＬＡＰ）を記憶部１１９に保存するとともに、表示部１１８にラップタイム（ＬＡＰ）を表示する。このラップタイム（ＬＡＰ）の表示は、表示部１１８に、例えば、１０秒間継続して表示され、ラップタイム（ＬＡＰ）の表示が開始されてから１０秒が経過すると、再び、スプリットタイム（ＳＰＬ）を表示するクロノグラフ計時表示状態ＳＴ１２Ａに移行する。
【００６１】
なお、このクロノグラフ動作状態ＳＴ１２において、使用者が操作ボタンＣを押下すると、電子時計１は、クロノグラフ動作を一時停止するクロノグラフ停止状態ＳＴ１３に移行する。このクロノグラフ停止状態ＳＴ１３において、電子時計１は、クロノグラフ計測動作を停止しており、このクロノグラフ停止状態ＳＴ１３では移行時間が「移行時間１」に設定される。このクロノグラフ停止状態ＳＴ１３において、操作ボタンＥが押下されると、電子時計１は、クロノグラフＲＥＳＥＴ状態ＳＴ１１に移行する。
【００６２】
また、クロノグラフ停止状態ＳＴ１３において、操作ボタンＣが押下されると、電子時計１は、再びクロノグラフ動作状態ＳＴ１２に移行し、クロノグラフ計測動作が再開されるとともに、移行時間が再び「移行時間２」に設定される。
このように、電子時計１は、クロノグラフモードＳＴ１０のクロノグラフ計測動作中において、パワーセーブモードへの移行を判定する移行時間を「移行時間２」とし、クロノグラフ計測動作中においてパワーセーブモードへ移行することにより発生する不具合を回避することができる。
【００６３】
一方、クロノグラフモードＳＴ１０の状態において、操作ボタンＡを押下すると、電子時計１は、クロノグラフモードＳＴ１０からタイマモードＳＴ２０に移行する。
このタイマモードＳＴ２０は、最初に、タイマカウンタ（ＣＰＵ１００が内蔵する不図示のカウンタ）の計数値をリセットするタイマＲＥＳＥＴ状態ＳＴ２１から開始される。このタイマＲＥＳＥＴ状態ＳＴ２１において、パワーセーブモードへの移行を判定する移行時間は、「移行時間１」に設定される。
【００６４】
そして、タイマＲＥＳＥＴ状態ＳＴ２１において操作ボタンＣを押下すると、電子時計１は、タイマＲＥＳＥＴ状態ＳＴ２１からタイマ動作状態ＳＴ２２に移行する。このタイマ動作状態ＳＴ２２において、パワーセーブモードへの移行を判定する移行時間は、「移行時間２」に設定される。すなわち、タイマ動作中には、パワーセーブモードに移行することを判定する移行時間は、通常状態の「移行時間１」よりも長い「移行時間２」となる。
【００６５】
電子時計１は、このタイマ動作状態ＳＴ２２に移行することにより、タイマ動作、すなわちタイマカウンタのカウントダウン動作を開始する。このタイマ動作を開始することにより、電子時計１は、表示部１１８にタイマ時間のカウントダウン表示（残時間の表示）を行う。
【００６６】
このタイマ動作状態ＳＴ２２において、使用者が操作ボタンＣを押下すると、電子時計１は、タイマ動作を一時停止するタイマ停止状態ＳＴ２３となり、このタイマ停止状態ＳＴ２３において、移行時間は「移行時間１」に設定される。そして、このタイマ停止状態ＳＴ２３において、操作ボタンＣが押下されると、電子時計１は、再びタイマ動作状態ＳＴ２２に移行し、タイマ動作が開始される。
このように、電子時計１は、タイマモードＳＴ２０において、パワーセーブモードへの移行を判定する移行時間を「移行時間２」とし、タイマ動作中においてパワーセーブモードに移行することにより発生する不具合を回避することができる。
【００６７】
また、タイマモードＳＴ２０の状態において、操作ボタンＡを押下すると、電子時計１は、タイマモードＳＴ２０からアラームモードＳＴ３０に移行する。このアラームモードＳＴ３０において、パワーセーブモードへの移行を判定する移行時間は、「移行時間１」となる。そして、アラームモードＳＴ３０において操作ボタンＡを押下すると、電子時計１は、アラームモードＳＴ３０から時刻表示モードＳＴ１に移行する。
【００６８】
このように、本実施形態の電子時計１は、操作ボタンＡを押下することにより、時刻表示モードＳＴ１と、クロノグラフモードＳＴ１０と、タイマモードＳＴ２０と、アラームモードＳＴ３０との間で、動作モードを変化させることができる。そして、電子時計１は、クロノグラフモードＳＴ１０およびタイマモードＳＴ２０の時間計測動作中において、パワーセーブモードへの移行を判定する移行時間を、通常状態の「移行時間１」よりも長い「移行時間２」とすることができる。これにより、電子時計１は、クロノグラフモードＳＴ１０およびタイマモードＳＴ２０の時間計測動作において、パワーセーブモードに移行することにより発生する不具合を回避することができる。
このため、電子時計１のクロノグラフ計測機能を使用して夜間にジョギングを行う場合に、ソーラパネルに光があたらないことにより電子時計がパワーセーブモードに移行し、ラップタイムやスプリットタイム等の表示が消えてしまうといった不具合が発生することを回避することができる。
【００６９】
以上、本発明の実施形態について説明したが、上述のクロノグラフモードおよびタイマモードにおいて用いられる移行時間２は、初期値が７２時間に設定されているが、この移行時間２は、使用者が手動により任意の時間に設定することが可能である。同様に、移行時間１は、初期値が４時間に設定されているが、この移行時間１は、使用者が手動により任意の時間に設定することが可能である。さらに、上記移行時間２は、例えば、クロノグラフモードにおいて計測されたラップタイム（ＬＡＰ）を記憶部１０９に記憶しておき、この記憶したラップタイム（ＬＡＰ）の最大値の整数倍の時間に自動で設定されるようにしてもよい。
【００７０】
また、タイマモードにおいては、タイマ時間が経過すると、タイマ計測が自動で再び繰り返される場合があるが、この場合に、２回目以降のタイマ計測期間においては、移行時間２を移行時間１に変更するようにしてもよい。
【００７１】
また、図３に示すパワーセーブ移行判定処理を示すフロー図では、ステップＳ９の処理においてパワーセーブカウンタの計数値がパワーセーブ移行時間２以上であると判定された場合に（ステップＳ９−Ｙｅｓ）、モード制御部１０２は、クロノグラフ計測部１０４のクロノグラフ動作を継続させた状態でパワーセーブモードに移行させるが、パワーセーブモードに移行する際にクロノグラフ動作をリセット（動作解除）するようにしてもよい。
【００７２】
例えば、図５は、パワーセーブへの移行判定処理の変形例を示すフロー図であり、この図５に示すフロー図は、図３に示すフロー図と比較して、ステップＳ９Ａの処理を新たに追加した点だけが異なる。
この図５に示すフロー図では、ステップＳ９の処理においてパワーセーブカウンタの計数値がパワーセーブ移行時間２以上であると判定された場合に（ステップＳ９−Ｙｅｓ）、モード制御部１０２は、クロノグラフ計測部１０４におけるクロノグラフ動作をリセット（動作解除）し（ステップＳ９Ａ）、その後に、表示部１１８をパワーセーブモードに移行させる。
【００７３】
なおここで、本発明と上述した実施形態との対応関係について補足して説明する。上記実施形態において、本発明における電子時計は、電子時計１が対応し、本発明における操作部は、操作部１１６が対応し、本発明における表示部は、表示駆動部１１７と表示部１１８とが対応する。また、本発明における無照度非操作時間検出部は、ＣＰＵ１００内の無照度非操作時間検出部１０５が対応し、本発明における時間計測部は、ＣＰＵ１００内のクロノグラフ計測部１０４が対応し、本発明における制御部は、ＣＰＵ１００内のモード制御部１０２が対応する。また、本発明における所定の第１移行時間は、移行時間１（例えば、４時間）が対応し、本発明における所定の第２移行時間は、移行時間２（例えば、７２時間）が対応する。
【００７４】
そして、上記実施形態において、電子時計１は、光を受けて発電を行なうソーラパネル１１１を有し、当該ソーラパネル１１１の起電圧により充電される二次電池１１２から供給される電力により動作するとともに、所定の条件下においてパワーセーブモードに移行して表示部（表示駆動部１１７および表示部１１８）の一部または全ての表示動作を停止させる電子時計１であって、電子時計１を操作するための操作部１１６と、時間計測動作を行う時間計測部（クロノグラフ計測部１０４）と、ソーラパネル１１１への入射光が得られず、かつ操作部１１６において操作が行われない状態が継続する時間を無照度非操作時間として計測する無照度非操作時間検出部１０５と、時間計測部（クロノグラフ計測部１０４）において時間計測動作が行われていない場合に、無照度非操作時間検出部１０５により計測された無照度非操作時間を所定の第１移行時間と比較し、時間計測部（クロノグラフ計測部１０４）において時間計測動作が行われている場合に、無照度非操作時間検出部１０５により計測された無照度非操作時間を第１移行時間よりも長い所定の第２移行時間と比較し、無照度非操作時間が前記移行時間を経過したときにパワーセーブモードに移行して表示部（表示駆動部１１７および表示部１１８）の表示動作を停止させる制御部（モード制御部１０２）と、を有して構成される。
【００７５】
このような構成の電子時計１であれば、モード制御部１０２は、時間計測動作中でない場合に、無照度非操作時間（ソーラパネル１１１への入射光が得られず、かつ操作部１１６において操作が行われない状態が継続する時間）を移行時間１（例えば、２時間）と比較し、時間計測動作中である場合に、上記無照度非操作時間を移行時間２（例えば、７２時間）と比較する。モード制御部１０２は、上記無照度非操作時間が上記移行時間を経過したときに表示部（表示駆動部１１７および表示部１１８）の表示動作を停止させる。すなわち、モード制御部１０２は、時間計測動作中である場合に、パワーセーブモードに移行するまでの時間を長くする。
これにより、電子時計１は、時間計測動作中においてパワーセーブモードに移行することにより発生する不具合を回避することができる。
このため、電子時計のクロノグラフ計測機能を使用して夜間にジョギングを行う場合に、ソーラパネルに光があたらないことにより電子時計１がパワーセーブモードに移行し、ラップタイムやスプリットタイム等の表示が消えてしまうといった不具合が発生することを回避することができる。
【００７６】
以上、本発明の実施の形態について説明したが、本発明の電子時計は、上述の図示例にのみ限定されるものではなく、本発明の要旨を逸脱しない範囲内において種々変更を加え得ることは勿論である。
【符号の説明】
【００７７】
１…電子時計、１００…ＣＰＵ、１０１…入力受付部、１０２…モード制御部、１０３…計時部、１０４…クロノグラフ計測部、１０５…無照度非操作時間検出部、１１１…ソーラパネル、１１２…二次電池、１１３…照度検出部、１１４…発振部、１１５…分周部、１１６…操作部、１１７…表示駆動部、１１８…表示部、１１９…記憶部、ＳＴ１…時刻表示モード、ＳＴ１０…クロノグラフモード、ＳＴ２０…タイマモード、ＳＴ３０…アラームモード
【図１】
2013152140.tif 000003
【図２】
2013152140.tif 000004
【図３】
2013152140.tif 000005
【図４】
2013152140.tif 000006
【図５】
2013152140.tif 000007